(57)【要約】【課題】所望の機能を選択するために必要なキー操作を平均的に少なくすることができる携帯端末を提供する。【解決手段】携帯端末における所定の処理について、各処理の実行回数をカウントするカウント手段と、前記所定の処理の表示順位を実行回数に基づき決定する表示順位決定手段と、前記携帯端末に対して所定の操作が行われた場合、画面に可変メニューを表示するメニュー制御手段とを備えており、メニュー制御手段は、可変メニューに表示する前記所定の処理及びその表示位置を、前記所定の処理の表示順位により決定する。【選択図】図１
2009182996.tif 000002
【特許請求の範囲】
【請求項１】
携帯端末であって、
前記携帯端末における所定の処理について、各処理の実行回数をカウントするカウント手段と、
前記所定の処理の表示順位を実行回数に基づき決定する表示順位決定手段と、
前記携帯端末に対して所定の操作が行われた場合、画面に可変メニューを表示するメニュー制御手段と、
を備えており、
メニュー制御手段は、可変メニューに表示する前記所定の処理及びその表示位置を、前記所定の処理の表示順位により決定する、
携帯端末。
【請求項２】
表示順位決定手段は、各処理の実行回数を、経過時間に応じた所定の重み係数で重み付けし、重み付け後の実行回数に基づき前記所定の処理の表示順位を決定する、
請求項１に記載の携帯端末。
【請求項３】
名前と、該名前に対応する電話番号及び／又は電子メールアドレスを示す電話帳を記憶する手段をさらに備えており、
前記所定の処理は、前記電話帳から電話番号又は電子メールアドレスを選択して行う発呼及び／又はメールの送信処理を含み、
カウント手段は、前記電話帳に含まれる名前それぞれについて、発呼及び／又はメール送信処理の実行回数をカウントし、
表示順位決定手段は、前記電話帳に含まれる名前それぞれについて、表示順位を決定する、
請求項１又は２に記載の携帯端末。
【請求項４】
サイトのサイト名と、該サイトの場所を示すサイト一覧を記憶する手段をさらに備えており、
前記所定の処理は、前記サイト一覧からサイトを選択して行う、該サイトヘの接続処理を含み、
カウント手段は、前記サイト一覧に含まれるサイト名又はサイトの場所それぞれについて、接続処理の実行回数をカウントし、
表示順位決定手段は、前記サイト一覧に含まれるサイト名又はサイトの場所それぞれについて、表示順位を決定する、
請求項１から３のいずれか１項に記載の携帯端末。
【請求項５】
前記携帯端末の全処理のいずれかを選択するために表示するメニューである主メニューを記憶する手段をさらに備えており、
メニュー制御手段は、前記主メニューを表示する処理を、常に、可変メニュー内に表示する、
請求項１から４のいずれか１項に記載の携帯端末。
【請求項６】
請求項１から５のいずれか１項に記載の携帯端末として、携帯端末を動作させるプログラム。
【発明の詳細な説明】
【技術分野】
【０００１】
本発明は、携帯電話機等の携帯端末におけるメニューの表示技術に関する。
【背景技術】
【０００２】
携帯端末に搭載される機能が多様化するにつれ、所望の機能を選択するために必要なキー操作を煩雑化させないことが重要となり、様々な方法が使用されている（例えば、非特許文献１、参照。）。
【先行技術文献】
【非特許文献】
【０００３】
【非特許文献１】“マルチプレイウインドウ｜機能｜Ａｕ  ｂｙ  ＫＤＤＩ”、［ｏｎｌｉｎｅ］、ＫＤＤＩ株式会社、［平成２１年０４月０８日検索］、インターネット＜ＵＲＬ：ｈｔｔｐ：／／ｗｗｗ．ａｕ．ｋｄｄｉ．ｃｏｍ／ｓｅｒｖｉｃｅ／ｋｉｎｏ／ｍｕｌｔｉ＿ｐｌａｙ／ｉｎｄｅｘ．ｈｔｍｌ＞
【発明の概要】
【発明が解決しようとする課題】
【０００４】
上記、従来技術は、所定の操作により、現在実行している処理の一覧及び携帯端末が具備する機能等の一覧を表示し、実行中である他の処理への表示の切替えや、新たな処理の実行の開始を、一覧から選択して行うものであるが、さらなる、操作性の向上が望まれている。
【０００５】
したがって、本発明は、利用者が所望する処理を選択するために必要なキー操作を平均的に少なくすることができる携帯端末を提供することを目的とする。
【課題を解決するための手段】
【０００６】
本発明による携帯端末は、
携帯端末における所定の処理について、各処理の実行回数をカウントするカウント手段と、前記所定の処理の表示順位を実行回数に基づき決定する表示順位決定手段と、前記携帯端末に対して所定の操作が行われた場合、画面に可変メニューを表示するメニュー制御手段とを備えており、メニュー制御手段は、可変メニューに表示する前記所定の処理及びその表示位置を、前記所定の処理の表示順位により決定することを特徴とする。
【０００７】
本発明による携帯端末の他の実施形態において、
表示順位決定手段は、各処理の実行回数を、経過時間に応じた所定の重み係数で重み付けし、重み付け後の実行回数に基づき前記所定の処理の表示順位を決定することも好ましい。
【０００８】
また、本発明による携帯端末の他の実施形態において、
携帯端末は、名前と、該名前に対応する電話番号及び／又は電子メールアドレスを示す電話帳を記憶する手段をさらに備えており、前記所定の処理は、前記電話帳から電話番号又は電子メールアドレスを選択して行う発呼及び／又はメールの送信処理を含み、カウント手段は、前記電話帳に含まれる名前それぞれについて、発呼及び／又はメール送信処理の実行回数をカウントし、表示順位決定手段は、前記電話帳に含まれる名前それぞれについて、表示順位を決定することも好ましい。
【０００９】
さらに、本発明による携帯端末の他の実施形態において、
携帯端末は、サイトのサイト名と、該サイトの場所を示すサイト一覧を記憶する手段をさらに備えており、前記所定の処理は、前記サイト一覧からサイトを選択して行う、該サイトヘの接続処理を含み、カウント手段は、前記サイト一覧に含まれるサイト名又はサイトの場所それぞれについて、接続処理の実行回数をカウントし、表示順位決定手段は、前記サイト一覧に含まれるサイト名又はサイトの場所それぞれについて、表示順位を決定することも好ましい。
【００１０】
さらに、本発明による携帯端末の他の実施形態において、
携帯端末は、前記携帯端末の全処理のいずれかを選択するために表示するメニューである主メニューを記憶する手段をさらに備えており、メニュー制御手段は、前記主メニューを表示する処理を、常に、可変メニュー内に表示することも好ましい。
【００１１】
本発明によるプログラムは、前記携帯端末として、携帯端末を動作させることを特徴とする。
【発明の効果】
【００１２】
所望の処理を行うために必要なキー操作の回数を平均的に短くすることができる。
【図面の簡単な説明】
【００１３】
【図１】本発明による携帯端末の構成図である。
【図２】可変メニューを示す図である。
【図３】電話帳を示す図である。
【図４】サイト一覧を示す図である。
【図５】主メニューを示す図である。
【図６】重み係数を示す図である。
【発明を実施するための形態】
【００１４】
本発明を実施するための形態について、以下では図面を用いて詳細に説明する。図１は、本発明による携帯端末の構成図である。図１に示す様に、携帯端末は、表示部１と、入力部２と、カウント部３と、表示順位決定部４と、メニュー制御部５と、記憶部６とを備えている。なお、図１は、本発明の説明に必要な部分のみを表示するものである。
【００１５】
表示部１は、他の機能ブロックから指示された画面をディスプレイに表示させる機能を有しており、入力部２は、利用者が行ったキー操作を認識して、当該キー操作に対応する制御内容を、その制御に関係する機能ブロックに通知する機能を有している。また、記憶部６は、電話帳、登録されているウェブサイトを示すサイト一覧、その他、携帯電話機が保持する各種データ等を記憶するものである。
【００１６】
メニュー制御部５は、利用者が、所定のキー操作を行った場合、ディスプレイに表示させる可変メニューを表示部１に出力して、ディスプレイに表示させる機能を有している。なお、携帯端末には、この可変メニューを表示させるための専用キーを１つ設け、前記所定のキー操作を、この専用キーの押下とすることが好ましい。図２は、ディスプレイに表示された可変メニューを示す図である。好ましくは、可変メニューは、可変メニュー呼出し前の画面上にポップアップ表示される。
【００１７】
図２に示す様に、可変メニューは、第１の部分及び第２の部分を含んでおり、それぞれの部分には、図において実線の四角形で示すアイコンが配列されている。なお、本発明において、アイコンとは、対応する処理を、絵等によりシンボル化したもののみならず、文字列のみにて表現したものも含むものとする。ここで、可変メニューの第１の部分は、現在、実行中の処理を示すものであり、実行中の処理に対応するアイコンが配置される。また、第２の部分は、携帯端末に実装されている所定の処理を開始するためのものであり、各処理に対応するアイコンが配置される。ここで、各処理とは、例えば、アプリケーションの起動、電話帳の表示、アラーム設定画面の表示等、携帯端末が有する機能の実行、データの表示、機能に対する設定画面の表示等を意味する。さらに、主メニューの表示も、所定の処理として、アイコン表示することもできる。なお、本発明において主メニューとは、携帯端末により実行される全処理を選択するためにあらかじめ記憶部６に保存されている固定的なメニューであり、例えば、図５に示す様に階層構造をとる。
【００１８】
利用者は、入力部２により、第１の部分及び第２の部分に表示されたアイコンのいずれか１つを選択する操作を行うことができる。ここで、第１の部分のアイコンを選択した場合、選択したアイコンに対応する実行中の処理がディスプレイに表示され、第２の部分のアイコンを選択した場合、選択したアイコンに対応する処理が開始されて、対応する画面がディスプレイに表示される。
【００１９】
例えば、第２の部分から選択したアイコンが、アプリケーションの起動である場合には、選択したアプリケーションが起動して、起動後の画面が表示される。具体的には、例えば、選択したアイコンがテレビである場合には、テレビのアプリケーションが起動して、ディスプレイには所定のチャネルのテレビ画面が表示され、選択したアイコンがブラウザである場合には、ウェブサイトへのアクセスのための初期画面、あるいは、ブラウザが起動して、ディフォルトに登録しているサイトにアクセス後、そのサイトの画面が表示される。また、選択したアイコンが、携帯端末が有するデータの表示である場合には、対応するデータの一覧が表示される。具体的には、例えば、データフォルダのアイコンを選択した場合には、データフォルダの一覧が表示され、電話帳のアイコンを選択した場合には、電話帳の初期画面又は前回選択したときの画面等、所定の画面が表示される。
【００２０】
ここで、本発明による携帯端末は、過去の操作状況に応じて、可変メニューの第２の部分のアイコンの配置を変化させる。このため、カウント部３は、所定の処理について、実行日時及び／又は実行回数をそれぞれ保存し、表示順位決定部４は、カウント部３が記憶している、それぞれの処理の実行回数に基づき各処理の表示順位を決定する。また、メニュー制御部５は、可変メニューを表示させる場合、表示順位決定部４が決定した表示順位を参照し、可変メニューの第２の部分に表示する処理とその位置を、その時点における表示順位に従い決定する。具体的には、例えば、表示順位ｋ（ｋは１から１２）の処理に対応するアイコンを、図２のＩＣＯＮｋの位置に配置するとの様に、表示順位に対応する配置位置をあらかじめ決めておき、この配置位置に従った可変メニューを生成する。なお、表示位置は、図２に示す様に、表示順位が高い程上の行に、同じ行内においては、表示順位が高い程左側に配置することが好ましい。なお、図２の例においては、第２の部分のアイコンは１２個であるが例示であり、また、表示順位が１３番以下の処理については、可変メニューから除外して表示しない構成であっても、画面の表示枠外にあるものとして、スクロールにより表示させる構成であっても良い。さらに、スクロールさせる場合においては、所定の処理総てを表示させる構成であっても、所定数に制限する構成であっても良い。
【００２１】
続いて、表示順位決定部４による表示順位の決定について説明する。一番簡易な形態においては、実行回数が多い程、表示順位を高くする。なお、実行回数は、過去所定の期間内に実行されたもののみに限定しても良い。この場合、実行してからの経過時間に応じて、実行回数の重み付けを行うことが好ましい。具体的には、図６に示す様に、実行してからの経過時間に応じた重み係数を設定し、実行回数を重み係数の和とする。つまり、処理Ａを３日前に３回、１１日前に５回実行し、処理Ｂを２５日前に２０回実行したものとし、図６に示す重み係数を使用するものとすると、処理Ａ及びＢの重み付け後の実行回数は、それぞれ、
処理Ａ：３×１＋５×０．６＝６
処理Ｂ：２０×０．２５＝５
と、処理Ａの表示順位が処理Ｂより高いことになる。
【００２２】
以上、実行回数に基づき表示順位を決定し、この表示順位に従う可変メニューを、例えば、専用キーの押下によりディスプレイに表示させることで、頻繁に使用する機能等に、少ないキー操作でアクセスでき、よって、平均的なキー操作数を低減することができる。また、頻繁に行う処理内容は、転勤や進学といった社会環境の変化等、時間の経過により変化することがあるが、実行後の経過時間に応じた重み付け、より具体的には、実行してからの経過時間が長い程、重み係数の値を小さくした重み付けを行うことにより、使用実態に応じた可変メニューの配置とすることができる。
【００２３】
また、本発明の他の実施形態において、カウント部３は、電話帳に登録されている人又は組織に対して、電話帳の画面から発呼及びメール送信が行われた場合、この操作を、この人又は組織に対する接続処理の実行としてカウントし、表示順位決定部４は、この人又は組織に対する接続処理の実行回数により、この人又は組織の表示順位を決定する。したがって、例えば、図３に示す様に、電話帳に、人又は組織の名前としてＡが登録され、さらに、Ａの電話番号及び電子メールアドレスが登録されている場合、カウント部３は、電話帳からＡを選択して行った発呼及びメール送信処理の回数をカウントし、表示順位決定部４は、この回数に基づき表示順位を決定し、例えば、表示順位が２番目であるとすると、メニュー制御部５は、例えば、図２のＩＣＯＮ２の位置に、Ａに対応するアイコンを表示する。そして、利用者が、ＩＣＯＮ２の位置にあるＡに対応するアイコンを選択した場合、携帯端末は、電話帳のＡに対応する画面、つまり、名前Ａと、Ａの電話番号及び電子メールアドレスを示す画面をディスプレイに表示し、よって、利用者は、Ａへの発呼又はメール送信を素早く行える様になる。なお、発呼とメール送信を併せてカウントする形態でなく、発呼とメール送信を別にカウントし、別に表示順位を決定する形態であっても良い。この場合、例えば、Ａへの発呼のアイコンと、Ａへのメール送信のアイコンが、それぞれ、表示順位に従い可変メニューに表示され、例えば、Ａへの発呼又はＡへのメール送信のアイコンを選択することで、それぞれ、Ａへの発呼又はメール送信の確認画面が表示される。なお、実行回数のカウントは、名前により行うこと、つまり、電話番号又は電子メールアドレスが変更されたとしても、名前が同じであれば、同じ人又は組織への接続処理としてカウントすることが好ましい。
【００２４】
さらに、本発明の他の実施形態において、カウント部３は、記憶部６が保持しているサイト一覧から１つのサイトを選択して接続動作を開始した場合、この操作を、このサイトに対する接続処理としてカウントし、表示順位決定部４は、このサイトに対する接続処理の実行回数により、このサイトに対する表示順位を決定する。したがって、図４に示す様に、サイト一覧に、サイト名としてＸが登録され、さらに、Ｘの場所を示すＵＲＬ（Ｕｎｉｆｏｒｍ  Ｒｅｓｏｕｒｃｅ  Ｌｏｃａｔｏｒ）が登録されている場合において、サイトＸが選択され、これにより行った接続処理の回数に基づくサイトＸの表示順位が３番目であるとすると、図２のＩＣＯＮ３の位置には、サイトＸに対応するアイコンが表示される。そして、利用者が、ＩＣＯＮ３の位置にあるサイトＸに対応するアイコンを選択した場合、携帯端末は、ブラウザを起動して、サイトＸへの接続を行う。これにより、利用者は、サイトＸへの接続を素早く行うことができる。なお、実行回数のカウントは、サイト名により行うこと、つまり、サイトのＵＲＬが変更されたとしても、サイト名が同じであれば、同じサイトへの接続処理としてカウントすることが好ましい。しかしながら、ＵＲＬを基準にカウントする形態であっても良い。
【００２５】
さらに、本発明の他の実施形態において、メニュー制御部５は、主メニューについては、表示順位に係らず、可変メニューの第２の部分の所定位置に常に表示する。主メニューは、総ての機能にアクセスするためのメニューであり、主メニューを常に第２の部分のいずれかの位置に表示しておくことで、稀にしか使用しない機能であっても選択が容易になる。
【００２６】
なお、本発明による携帯端末は、図１の各機能ブロックを携帯端末に実現させるプログラムにより実現することができる。プログラムは、コンピュータが読み取り可能な記憶媒体に記憶されて、又は、ネットワーク経由で配布が可能なものである。更に、本発明は、ハードウェア及びソフトウェアの組合せによっても実現可能である。
【符号の説明】
【００２７】
１  表示部
２  入力部
３  カウント部
４  表示順位決定部
５  メニュー制御部
６  記憶部
【図１】
2009182996.tif 000003
【図２】
2009182996.tif 000004
【図３】
2009182996.tif 000005
【図４】
2009182996.tif 000006
【図５】
2009182996.tif 000007
【図６】
2009182996.tif 000008